(57)【要約】      （修正有）【課題】乳母車等の関節部において２つの機構をそれぞれ１本のロープで作動させる装置をコンパクトにする。【解決手段】各ロープ８及び９について、関節で繋がれたアーム１及び２を備え、２本のアーム１及び２は、１点に集まるように配置され、その結果、アームの固定されていない端部６及び７は、１点に向かって集まり、上記２本のアーム１及び２は、当該２本のアームを上記固定されていない端部６及び７で押すことができる押しボタン１２によって、同時に動くようになっている。押しボタン１２は、その内部にばね１５を備え、ばね１５は、ボタン操作を受け付ける配置に押しボタン１２を片寄らせて保持し、ロープ８及び９のそれぞれは、各アーム１及び２の固定されていない端部６及び７のそれぞれに固定され、各アーム１及び２の端部は、ピン接続の接続部３及び４で筒型本体５に接続しており、筒型本体５の内部には、上記ロープ８及び９が伸びている。【選択図】図１
2007302234.tif 000002
【特許請求の範囲】
【請求項１】
２本のロープのそれぞれに互いに反対向きに作用することにより、複数の機構をそれぞれ１本のロープで動作させる装置であって、各ロープについて、関節で繋がれたアーム（articulately fitted arm）を備え、２本のアームは１点に集まるように配置され、その結果、アームの固定されていない端部は１点に向かって集まり、上記２本のアームは、当該２本のアームを上記固定されていない端部で押すことができる押しボタンによって、同時に動くようになっていることを特徴とする装置。
【請求項２】
上記押しボタンは、ボタン操作を受け付ける配置（passive arrangement）に当該押しボタンを片寄らせて保持するばねを備えていることを特徴とする、複数の機構をそれぞれ１本のロープで動作させる請求項１に記載の装置。
【請求項３】
上記ロープのそれぞれは、各アームの固定されていない端部のそれぞれに固定され、各アームの端部は、ピン接続の接続部で筒型本体に接続しており、筒型本体の内部には、上記ロープが伸びていることを特徴とする、複数の機構をそれぞれ１本のロープで動作させる請求項１に記載の装置。
【請求項４】
上記筒型本体の上にカウリングが配置され、カウリングは、上記押しボタンが動くときに当該押しボタンの動きを導く開口部を有していることを特徴とする、複数の機構をそれぞれ１本のロープで動作させる請求項１から３の何れか１項に記載の装置。
【発明の詳細な説明】
【技術分野】
【０００１】
この装置は、２本のロープに同時に作用し、それらを互いに逆向きに移動させるために設計されている。これは主として、乳母車の分野における関節部（articulation）及び／または固定装置（anchoring device）における固定機構を動作させるために適用される。
【背景技術】
【０００２】
各々のロープにて２つの機構のそれぞれを同時に動作させる装置はいくつか存在している。非常に広く用いられている装置は、回転する円板で形成されており、２本のロープの末端が円板の直径に対して反対の位置に固定されており、これにより対応する機構がそれぞれ動作するようになっている。例えば、スペイン特許ＥＳ‐２０７００７１（９３００４８７）及びスペイン実用新案ＥＳ‐１０５３７０３（２００３０００２８）が対象としている装置がそれである。
【発明の開示】
【発明が解決しようとする課題】
【０００３】
本発明の目的は、２つの機構をそれぞれ１本のロープを介して同時に作動させる装置を提供し、これまでに用いられてきた物に対して幾つかの改良点をもたらすことである。上記改良点は、決定を簡単にすることによりユーザ側の動作を簡単にすること、よりコンパクトな構成にすることにより現場での配置を容易にすること、及び製造費と組立費とを低減させることである。
【課題を解決するための手段】
【０００４】
本発明の装置は、上記目的を達成するために、各ロープについて、関節で繋がれたアーム（articulately fitted arm）を備え、２本のアームは１点に集まるように配置され、その結果、アームの固定されていない端部は１点に向かって集まり、これらの端部のそれぞれには各１本のロープが接続されており、上記アームは、押しボタンによって、上記固定されていない端部で同時に動かされる位置に設けられていることを特徴としている。
【０００５】
上記押しボタンは、ボタン操作を受け付ける配置（passive arrangement）に当該押しボタンを片寄らせて保持するばねを備えている。
【０００６】
本発明の装置は、筒型本体にはめ込み、上記ロープを筒型本体の内部に伸ばし、該本体の上にカウリングを設け、該カウリングに、上記押しボタンを動かすときにその動きを導く開口部を有している。
【０００７】
これら及び他の特徴は、以下の詳細な説明によって十分に明らかになるであろう。また、添付した一実施形態を示す図面によって、より容易に理解することができるであろう。しかしながら、これらは、例に過ぎず、本発明の範囲を限定するものではない。
【発明を実施するための最良の形態】
【０００８】
図面に示すように、複数の機構のそれぞれを各ロープを介して動作させる装置は、２本のアーム、すなわちアーム（１）及び（２）を含む。アーム（１）及び（２）のそれぞれは、ピン（３）及び（４）により、その一端が筒型本体（５）にピン止めされている。上記アームは、１点に集まるように配置されているので、それらの固定されていない端部（６）及び（７）は、１点に向かって集まる。固定されていない端部（６）及び（７）には、ロープ（８）及び（９）の端部がそれぞれ固定されている。上記ロープは、それぞれ筒型本体（５）に設けられた開口部（１０）及び（１１）を通って筒型本体（５）の内側へと伸びる。
【０００９】
これらの２本のアーム（１）及び（２）は、押しボタン（１２）が及ぼす作用により同時に動く。押しボタン（１２）は、アームの端部（６）及び（７）を押すことができる。
【００１０】
筒型本体（５）には、カウリング（１３）が取り付けられており、カウリング（１３）には、押しボタン（１２）が動くときに当該押しボタンの移動を導く（図２及び図３）開口部（１４）が設けられている。押しボタン（１２）の内側の端部には、ボタン操作を受け付ける配置（passive arrangement）に当該押しボタン（１２）を片寄らせて保持するばね（１５）が設けられている。
【００１１】
ここで示す例では、筒型本体（５）は、乳母車に好適な、赤ん坊用携帯ベッドの座席あるいは赤ん坊用携帯ベッドの、中程度の長さのハンドルを構成する。
【００１２】
図４では、既知のタイプの装置（１６）が、筒型本体（５）に取り付けられている。そして、ロープ（１７）及び（１８）によって２つの機構が同時に動作可能になっている。
【００１３】
この具体例において、これらの装置の１つは、乳母車に赤ん坊用携帯ベッドの座席あるいは赤ん坊用携帯ベッドを取り外し可能に取り付けるために設けられている機構に作用し、他の装置は、赤ん坊用携帯ベッドの座席あるいは赤ん坊用携帯ベッドに関節で連結されているハンドルに対して選択された角度を固定するために働く。
【００１４】
本発明の対象の装置では、図１の矢印Ｆの向きに押しボタン（１２）を押すと、両方のアーム（１）及び（２）が、それらの端部（６）及び（７）で同時に押され、その結果、それらはピン（３）及び（４）を軸に矢印Ｆ’の向きに回転し、ロープ（８）及び（９）が矢印Ｆ”の向きに引っ張られることになる。
【００１５】
一度、押しボタン（１２）に作用を及ぼす動作をやめると、ロープ（８）及び（９）は、それらが連結されている実際の機構（actual mechanisms）の作用によって、逆向きに移動してゆき、その結果、押しボタン（１２）は、ボタン操作を受け付ける位置（passive position）に戻る（図２）。
【図面の簡単な説明】
【００１６】
【図１】本発明の対象の装置における主要な要素の正面図である。
【図２】装置全体の正面断面図であり、装置がボタン操作を受け付ける配置（passive arrangement）を示す図である。
【図３】装置全体の正面断面図であり、装置が動作中である配置（active arrangement）を示す図である。
【図４】各ロープを介して複数の機構のそれぞれを動作させるために、上記装置が筒型本体に固定されており、さらに既知のタイプの装置が当該筒型本体に固定されている構成の概略を示す平面図である。
【符号の説明】
【００１７】
１、２  アーム
３、４  ピン
５      筒型本体
６、７  端部
８、９、１７、１８  ロープ
１０、１１、１４    開口部
１２    押しボタン
１３    カウリング
１５    ばね
１６    装置
【図１】
2007302234.tif 000003
【図２】
2007302234.tif 000004
【図３】
2007302234.tif 000005
【図４】
2007302234.tif 000006